(57)【要約】【課題】  オゾンによって物陰に潜むゴキブリ、シロアリ、ダニのような害虫を駆除するだけでなく、室内に充満する悪臭を効果的に消臭できるようにする。【解決手段】    オゾン供給装置は、吊り下げまたは据え置きによって任意の場所に設置できる一体型であり、多量のオゾンを発生する紫外線オゾンランプと、該オゾンランプを内部に収納している内筒体と、内筒体とほぼ同軸状に配列する外筒体と、筒体後部に設置する通風ファンとからなり、内筒体の後端面を支持部材で閉鎖するとともに、該支持部材に空気の流通が可能な小孔を設ける。【選択図】図１
2006055006.tif 000002
【特許請求の範囲】
【請求項１】
吊り下げまたは据え置きによって任意の場所に設置できる一体型のオゾン供給装置であって、多量のオゾンを発生する紫外線オゾンランプと、該オゾンランプを内部に収納している内筒体と、内筒体とほぼ同軸状に配列する外筒体と、筒体後部に設置する通風ファンとからなり、内筒体の後端面を支持部材で閉鎖するとともに、該支持部材に空気の流通が可能な小孔を設けることにより、内筒体内部の空気流を、外筒体と内筒体との間の空気流に比べて遅くさせるオゾン供給装置。
【請求項２】
内筒体の後端面を閉鎖する支持部材にオゾンランプを取り付ける請求項１記載のオゾン供給装置。
【請求項３】
外筒体の前端面に空気流通が可能な多孔板を取り付け、該多孔板の後方において邪魔板を近接設置することにより、オゾンランプの光が装置外部に漏出しない請求項１記載のオゾン供給装置。
【請求項４】
内筒体は外筒体よりも短く、その前周端が外筒体前端の多孔板まで達しないことにより、内筒体内部の空気流が、オゾン供給装置を出る前に外筒体と内筒体との間の空気流と混合される請求項１記載のオゾン供給装置。
【発明の詳細な説明】
【技術分野】
【０００１】
本発明は、物陰に潜むゴキブリ、シロアリ、ダニのような害虫を駆除するだけでなく、室内に充満する悪臭を効果的に消臭できるオゾン供給装置に関する。
【背景技術】
【０００２】
オゾンは、独特の臭気を持つ微青色の気体で強い酸化力を有し、消毒、漂白、酸化などの目的に用いられている。ゴキブリを駆除する方法において、オゾン発生器を用いることは実開昭６１−７４３７５号から公知である。実開昭６１−７４３７５号では、オゾン発生器を台所の天井や厨房室内に取り付け、該オゾン発生器に小型スローファンを組み合わる。このオゾン発生器は、空気の吸入口および吹出口を有する容器内に設置し、オゾンを含む空気を小型スローファンによって強制的に室内に吹き出している。
【０００３】
オゾンによって害虫を駆除する装置は、実開昭６３−５８５７５号、特開平２−３０３４４０号および特開平５−１７０６１０号などにも開示されている。実開昭６３−５８５７５号では、容器内において、空気の吸込み口とオゾン吹出し口との間の通路途中にファンとオゾンランプを設置し、該オゾンランプの点灯時間をタイマーで制御する。特開平５−１７０６１０号は、オゾン発生手段およびオゾン分解手段を備え、この駆除装置において、一方の開口部、無機系触媒層、オゾン発生器、酸担持吸収剤層、反転可能なファンおよび他方の開口部を順に配列している。この駆除装置は、簡便な操作で短時間に害虫を駆除することができ、オゾン処理後に大気中に残留するオゾンは無機系触媒層を用いることでいっそう短時間に酸素まで分解できる。
【特許文献１】実開昭６１−７４３７５号公報
【特許文献２】実開昭６３−５８５７５号公報
【特許文献３】特開平２−３０３４４０号公報
【特許文献４】特開平５−１７０６１０号公報
【発明の開示】
【発明が解決しようとする課題】
【０００４】
前記の害虫駆除装置は、発生したオゾンをファンによって吹き出し、ファンの回転数を増減して送風量を変化させる。オゾンは、空気中に微量の０.０２〜０.０４ｐｐｍ存在している。オゾンは、空気中に約０.０５ｐｐｍ存在するだけで独特の臭気が感じられ、毒作用が非常に強く、濃度が約０.３ｐｐｍ程度になると呼吸器を侵し、微量でも長時間吸入すると有害である。このため、この害虫駆除装置のファンは通常かなりの送風量を有し、発生したオゾンが装置近辺に滞留しないように設定している。
【０００５】
この害虫駆除装置のファン送風量が相当に高いと、オゾンを多量に発生させても空気への混入量が低下し、しかも高速に広く拡散されることでオゾンが低濃度になってしまう。低濃度のオゾンは、ゴキブリやダニ程度の駆逐には有効であっても、ネズミなどの有害動物を駆逐したり、ゴミ処理場、スナック、飲食店、倉庫内などにおける強い悪臭を消臭することはできない。
【０００６】
一方、消臭作用を高めるために、ファン送風量を低くして高濃度のオゾンを吐出させるならば、高濃度で低速のオゾンは装置近辺に滞留してオゾンの臭気が感じられ、毒作用が高くなって危険である。低速のオゾンは、仮に悪臭と接触しても境界で分離してしまって悪臭と混じり合うことがなく、酸化によって消臭することが達成されない。
【０００７】
本発明は、従来のオゾン発生装置に関する前記の問題点を改善するために提案されたものであり、高い送風量により、室内に充満する悪臭を酸化によって確実に消臭できるオゾン供給装置を提供することを目的としている。本発明の他の目的は、害虫駆除などに際して、任意の場所に安全に設置できるオゾン供給装置を提供することである。
【課題を解決するための手段】
【０００８】
本発明に係るオゾン供給装置は、吊り下げまたは据え置きによって任意の場所に設置できる一体型である。本発明のオゾン供給装置は、多量のオゾンを発生する紫外線オゾンランプと、該オゾンランプを内部に収納している内筒体と、該内筒体とほぼ同軸状に配列する外筒体と、筒体後部に設置する通風ファンとからなり、内筒体の後端面を支持部材で閉鎖するとともに、該支持部材に空気の流通が可能な小孔を設ける。これによって、本発明のオゾン供給装置において、内筒体内部の空気流を、外筒体と内筒体との間の空気流に比べて遅くさせる。
【０００９】
本発明のオゾン供給装置では、オゾン供給装置内筒体の後端面を閉鎖する支持部材にオゾンランプを取り付けると好ましい。好ましくは、外筒体の前端面に空気流通が可能な多孔板を取り付け、該多孔板の後方において邪魔板を近接設置することにより、オゾンランプの光が装置外部に漏出することがない。また、内筒体は外筒体よりも短く、その前周端が外筒体前端の多孔板まで達しないことにより、内筒体内部の空気流が、オゾン供給装置を出る前に外筒体と内筒体との間の空気流と混合される。
【００１０】
オゾン供給装置１（図１）において、外筒体５の内部に配列する内筒体３は、通常、外筒体５よりも短く、実質的に同軸状であっても多少同軸位置から外れていてもよい。内筒体３の同軸配置は、その上端に溶接した受け板部４０，４２（図３）と、外筒体５の内周壁に溶接した１対の支持片２４，２６とをボルト止めして達成しても、外筒体５内に嵌め込んだドーナツ形などの適当なフレーム（図示しない）で設定してもよい。
【００１１】
本発明の実施例では、内筒体３内に２本の紫外線オゾンランプ２を収納しており、このオゾンランプは１本または３本以上であってもよい。２本のオゾンランプ２を内筒体３内に収納すると、比較的低速の通風速度で高濃度のオゾンを得ることができる。オゾンランプ２と接触する空気は、内筒体３を閉鎖する支持部材４６に設けた小孔を経て内筒体３内へ流入するので比較的低速であり、この小孔が２連円形孔５６（図４）の環状間隙であっても、他の形状の貫通孔でもよい。この小孔である環状間隙の大きさを調節すると、内筒体３内の通風速度を適宜に制御できる。この環状間隙の代わりに、遠隔操作可能な開閉部材などによって内筒体３内へ通風速度を調整することも可能である。
【００１２】
外筒体５の前端には、多孔板１４を溶接するとともに、該多孔板とほぼ同寸の円形の邪魔板２０を近接設置する。円形の邪魔板２０は、装置１内の通風速度を適度に抑制するとともに、装置１の稼働時にオゾンランプ２の光が装置外部に漏出することを防ぎ、装置外部から見えなくするので安全である。装置１内の通風速度は、シロッコファン８のような通風ファンの回転速度を増減することで制御できる。
【００１３】
図示しないけれども、オゾン供給装置１には、通風ファンおよびオゾンランプ２の入力スイッチおよびプラグ付きの電源コードを後筒体７に取り付け、タイマを内蔵させて夜間の一定時間室内で稼動するようにしてもよい。密閉した室内では、通風ファンは常時稼動させてオゾンを拡散させるけれども、オゾンランプ２の点灯時間をタイマーで制御すると好ましい。また、外筒体５において、オゾン発生機構とともにオゾン分解機構を搭載することも可能である。
【発明の効果】
【００１４】
本発明に係るオゾン供給装置は、オゾンランプを設置した内筒体と外筒体とを有し、内筒体内部を流通する空気が、外筒体と内筒体との間を流通する空気に比べて遅いので、比較的高濃度のオゾンを高速吐出することができる。本発明のオゾン供給装置は、消臭作用を高めるために高濃度のオゾンを必要とする場合において、ファン送風量を低くしなくてもよく、比較的速い送風速度のままで操作することが可能である。このため、従来のように、高濃度の吐出オゾンが装置近辺に滞留して独特の臭気を感じることがなくて安全であり、しかもオゾンが必要以上に希釈されることがなく、室内に充満する悪臭を酸化によって確実に消臭できる。
【００１５】
本発明に係るオゾン供給装置は、室内や床下に簡単に設置でき、ゴキブリやダニ程度の駆逐には有効であり、しかも比較的高い濃度のオゾンでネズミなどの有害動物を駆逐したり、ゴミ処理場、スナック、飲食店、倉庫内などにおける強い悪臭の消臭に使用できる。本発明のオゾン供給装置では、所定の送風速度のオゾンが悪臭源と接触することにより、オゾンと強い悪臭とが境界で分離することがなく、オゾンが悪臭と効果的に混じり合い、酸化による消臭を確実に達成することができる。
【発明を実施するための最良の形態】
【００１６】
次に、本発明を実施例に基づいて説明するが、本発明は実施例に限定されるものではない。図１には、本発明に係るオゾン供給装置１を示し、該装置はほぼ筒形の一体型である。オゾン供給装置１は、内部に紫外線オゾンランプ２を収納した内筒体３と、該内筒体とほぼ同軸状に配列する外筒体５とを備える。外筒体５には、同径の後筒体７を接続し、該後筒体の後方に通風ファン例えばシロッコファン８を設置している。
【００１７】
外筒体５は、例えば、直径１４５ｍｍおよび長さ２６８ｍｍの円筒形であり、両端部をフランジ状に成形する。前方のフランジ部１０にはドーナツ形の円形板１２（図２）を密にボルト止めし、該円形板の裏側にパンチングメタルである多孔板１４を溶接する。多孔板１４には、図２において貫通孔１５の一部を図示している。多孔板１４の大部分は、円形板１２の中心孔１６によって外部へ露出している。多孔板１４の後方において、複数個の筒状セパレータ１８を介して円形の邪魔板２０を近接設置することにより、多孔板１４と邪魔板２０とは所定の間隙を有する。邪魔板２０の直径は、円形板１２の中心孔１６のそれよりも多少大きい。
【００１８】
外筒体５において、その外周上端にＬ字棒２１を溶接し、該Ｌ字棒は装置１の軸方向の重心に位置する。Ｌ字棒２１は、装置１の持ち手用金具または吊り下げ用金具として使用する。また、台形状に屈曲させたＵ字棒２２を外筒体５の外周下方の前方に溶接し、該Ｕ字棒２２に対応して後筒体７の外周下端にもＵ字棒（図示しない）を溶接すると好ましい。Ｕ字棒２２は、装置１を横置きした際の支持部材として使用し、該Ｕ字棒によって装置１が床上で回転するのを防ぐ。さらに、外筒体５の内周壁に１対の矩形状平面の支持片２４，２６を溶接し、両支持片にそれぞれねじ孔（図示しない）を設ける。支持片２４，２６の間隔は、内筒体３の長さにほぼ等しく、内筒体３の前後を固定することで該内筒体を確実に水平支持する。
【００１９】
後筒体７は、前方フランジ部２８において、外筒体５の後方フランジ部３０にボルト止めすることによって同心状に接続する。後筒体７は、例えば、外筒体５と同一の直径で長さが２００ｍｍであり、外筒体５と同様に両端部をフランジ状に成形している。後筒体７は、その後方部に設置した隔離板３２にシロッコファン８を搭載し、該ファンによって内筒体３および外筒体５の方へ送風する。図示しないけれども、後筒体７には、シロッコファン８用のモータおよびトランスなどを収納し、後方フランジ部３３に円形多孔板などをボルト止めする。シロッコファン８は、１段の遠心式通風ファンであり、一般に短い前向き羽根を６０〜９０枚持ち、効率５５〜６５％で１５〜２００mmＡｑの低風圧に適し、音響が少なくて送風量が変化しても風圧の変化が比較的少ない。
【００２０】
内筒体３は、例えば、直径６０ｍｍおよび長さ２０６ｍｍの円筒形であり、後端部をフランジ部３４（図３）を形成して矩形状に成形する。矩形フランジ部３４の四隅には、それぞれ貫通孔３６を設ける。内筒体３は、外筒体５と同軸状に配列するために、外壁の上端に軸方向に沿って帯板３８を溶接し、該帯板の前後端部を直角に屈曲して受け板部４０，４２（図３）を形成し、両取付部にそれぞれ貫通孔４４（図３）を設ける。
【００２１】
細長いＵ字形の紫外線オゾンランプ２は、Ｔ字形平面の支持部材４６（図４）を介して内筒体３に２本平行に収納する。支持部材４６は、内筒体３の矩形フランジ部３４と対応する大きさの直交部４８と、該直交部の幅方向中央に垂直に溶接する平行部５０とからなる。直交部４８には、矩形フランジ部３４の各貫通孔３６と対応する貫通孔５１をそれぞれ形成するとともに、両オゾンランプ２の端子部５４（図１）を嵌入する２連円形孔５６を隣接状に形成する。２連円形孔５６は、平行部５０に関してほぼ線対称であり、ランプ端子部５４の外径よりもわずかに大きい内径を有することにより、２連円形孔５６の環状間隙が空気流通用の小孔に相当し、この環状間隙を経て内筒体３内へ通風可能である。一方、平行部５０は、内筒体３の内径および長さにほぼ等しい高さと長さを有する細長い矩形板であり、その後方に締付け金具５２用の貫通孔５８，５８を設ける。平行部５０には、前方下方に貫通孔６０を設けてもよく、該貫通孔にオゾンランプ２の前方受け金具（図示しない）などを取り付ける。
【００２２】
オゾン供給装置１を組み立てるには、オゾンランプ２，２を支持部材４６の平行部５０の両側に配置し、ランプ端子部５４を直交部４８の２連円形孔５６に嵌入する。中央部が凹んだ締付け金具５２（図１）でランプ２，２の後端部を挟み、両金具の透孔および貫通孔５８にボルト６２を挿入してナットで定着する。次に、オゾンランプ２，２を支持部材４６とともに内筒体３内に収納し、支持部材４６の各貫通孔５１を内筒体３の各貫通孔３６と合致させてボルト止めしてから、内筒体３を外筒体５内へ入れ、該内筒体を若干回して受け板部４０，４２を支持片２４，２６と合致させ、両者をタッピンビス６４，６６で固定する。オゾンランプ２の端子部５４，５４を電気回路のソケット（図示しない）に差し込んでから、後筒体７を外筒体５にボルト接続する。通常、オゾンランプ２の入力スイッチは、シロッコファン８のそれと別個に取り付ける。
【００２３】
オゾン供給装置１は、そのまま手で持ち運ぶことができ、Ｌ字棒２１を介してチェーンなどによって適当な場所に吊り下げても、床上に載置してＵ字棒２２で静止させても、外筒体５を上向きにして縦置きすることも可能である。オゾン供給装置１は、適当な場所に配置した後に、後筒体７から延びる電源コードのプラグ（図示しない）を家庭用電源のジャックに差し込めばよい。スイッチを入れるとシロッコファン８が回転し、後筒体７から外筒体５へ送風する。この送風の大部分は外筒体５と内筒体３との間を流通する。また、この送風の一部分は、内筒体３を閉鎖する支持部材４６の２連円形孔５６の環状間隙を経て内筒体３内へ流入し、オゾンランプ２，２で発生するオゾンとともに内筒体３を出て、外筒体５の前方部において、該外筒体と内筒体３との間を流通する空気と混合され、この混合空気は邪魔板２０を経て多孔板１４から装置外部へ流出する。
【００２４】
オゾン供給装置１において、外筒体５と内筒体３との間を流通する空気は、抵抗が小さいので比較的高速である。一方、内筒体３内部を流通する空気は、支持部材４６における抵抗が大きいので比較的低速になり、低速の空気が多量のオゾンを発生するオゾンランプ２，２と接触すると、比較的高濃度のオゾンを送り出すことができる。低速である高濃度のオゾンは、外筒体５内において比較的高速の空気と混合されるため、比較的高濃度のオゾンを高速に吐出することができる。
【００２５】
オゾン供給装置１は、室内の上方に配置し且つ比較的高濃度のオゾンを高速吐出することにより、そのオゾンが室内にある悪臭源と接触し、室内に充満する悪臭および壁面や絨毯に付着した臭いを酸化によって確実に消臭する。オゾン供給装置１は、夜間などに使用して、ゴミ処理場、スナック、飲食店、倉庫内などにおける強い悪臭を確実に消臭できる。オゾン供給装置１は、室内や床下に配置すると、ゴキブリやダニなどの害虫を駆逐でき、しかも比較的高い濃度でネズミなどの有害動物も駆逐できる。
【００２６】
オゾン供給装置１を密閉した室内で使用継続する場合、オゾンの濃度が室内で約０.０６ｐｐｍに達するとオゾンの臭気が感じられるようになるため、オゾンランプ２，２を消灯してオゾンの発生を停止し、シロッコファン８の回転は続けてオゾンの拡散のみを継続する。一方、オゾンが拡散と酸化によって濃度が約０.０３ｐｐｍまで低下すれば、オゾンランプ２，２を点灯してオゾンの発生を再開する。
【図面の簡単な説明】
【００２７】
【図１】本発明に係るオゾン供給装置を示す縦断面図である。
【図２】オゾン供給装置の正面図である。
【図３】オゾンランプの取付金具を示す（１）側面図および（２）正面図である。
【図４】本発明で用いる内筒体を示す（１）側面図および（２）正面図である。
【符号の説明】
【００２８】
１    オゾン供給装置
２    紫外線オゾンランプ
３    内筒体
５    外筒体
７    後筒体
８    シロッコファン
１２    円形板
１４    多孔板
２０    邪魔板
４６    支持部材
【図１】
2006055006.tif 000003
【図２】
2006055006.tif 000004
【図３】
2006055006.tif 000005
【図４】
2006055006.tif 000006